(57)【要約】      （修正有）【課題】嵩張るプラスチックゴミをコンパクトにし、コンパクト状態を維持したまま、簡単に十文字結束するストッカーを提供する。【解決手段】上面を開放した長方形の箱状ストッカーに、紐を挟み止めるための切込み１〜４を四辺上部中央に入れ、１本の紐で十文字結束ができるように紐を配置する。面積の広い側の側面二箇所に棒Ｘ，Ｙを貫通させるための穴９，１０を平行縦列に数箇所開け、穴９，１０は対面側にも同様に開ける。ストッカー内に溜まったプラスチックゴミを上から押して圧縮し、圧縮状態を維持するため、棒二本Ｘ，Ｙを穴に差し込んでプラスチックゴミ全体を抑える。【選択図】図９
0003186704.tif 000002
【実用新案登録請求の範囲】
【請求項１】
上面開放の長方形の箱状を基本としているが、円形の底のある筒状でも良い。四辺上部中央に紐を挟むための切込みがあり、側面とその対面側には、棒を貫通させるための穴が二列平行縦列に数箇所ある。紐を挟むための切込みと、側面の穴が一体となったストッカーでなければ目的は達成せず、穴と切込みが一体となったストッカー。
【考案の詳細な説明】
【技術分野】
【０００１】  家庭におけるプラスチックゴミを圧縮し、簡単に結束できるストッカーに関するものである。
【背景技術】
【０００２】  結束機能付きストッカーは新聞ストッカーに見られるが、プラスチックゴミを結束するには、プラスチックゴミをコンパクトにする必要があり、新聞ストッカーとは違った機能が求められる。
一般的にプラスチックゴミは指定もしくは市販のゴミ袋等に溜めており、嵩張るため場所を取る存在であるが、家庭内において、プラスチックゴミをコンパクトにした上で結束する考案は今のところ見当たらない。
【考案の概要】
【考案が解決しようとする課題】
【０００３】  嵩張ったプラスチックゴミを圧縮し、圧縮状態を維持したまま、簡単に結束できるストッカーを提供する。
【課題を解決するための手段】
【０００４】  本考案ストッカーの基本となる形状は、Ａ４版よりも少し大きめの、上面がない長方形の箱型であるが、円形の底のある筒状ストッカーでも可能である。ストッカー四辺の上部中央に紐を挟んで止める切込みを入れ、側面に棒を通す穴を平行に二つ開ける。穴は均等間隔で上に向かって４〜５段階に開け、対面側にも同様の穴を開けると、本考案ストッカーは完成する。
棒の役目は、上から圧力を加えてコンパクトになったプラスチックゴミの盛り上がりを抑えるためであり、紐はコンパクト状態のままのプラスチックゴミを十文字に結束するためである。溜まったプラスチックゴミを上から押して嵩張りを抑え、抑えた状態を棒二本で維持する。あとは事前に配置した紐で十字結びにすれば課題は解決できる。
【考案の効果】
【０００５】  家庭内におけるプラスチックゴミ置き場のスペースがストッカー分で良い。【０００６】  各地区指定のゴミ袋は大きくなるに従って値段は高く、ゴミをコンパクト化することによってゴミ袋の使用も大から小に変わるので、家計的にも助かる。【０００７】  プラスチックゴミのコンパクト化により家庭からゴミ集積所まで運搬が楽になる。【０００８】  プラスチックゴミ収集業者も一回の積載量が増えるので、収集運搬回数の短縮になり、ガソリンの節約にも繋がる。【０００９】  プラスチックゴミを入れるゴミ袋が大から小へと変われば、ゴミ袋の原料使用量が減り、地球資源の節約にも繋がる。
【図面の簡単な説明】
【００１０】
【図１】本考案ストッカーの斜視図。
【図２】本考案ストッカーを、別角度から見た斜視図。
【図３】本考案ストッカーに紐を配置した透視図。
【図４】本考案ストッカーに入れたプラスチックゴミが満杯になった図。
【図５】満杯になったプラスチックゴミを上から押し、棒２本でプラスチックゴミの盛り上がりを抑えている透視図。
【図６】本考案ストッカーに再びプラスチックゴミ入れ、再び満杯になった透視図。
【図７】棒２本を引き抜いて再び圧力を加え、棒２本を上段の穴に差し込んで、プラスチックゴミの盛り上がりを押さえている透視図。
【図８】棒２本が最上段の穴にまで達した透視図。
【図９】本考案ストッカー内プラスチックゴミの盛り上がりは２本の棒によって押さえられたまま、プラスチックゴミが結束されていく斜視図。
【図１０】本考案ストッカー内のプラスチックゴミが結束され、棒２本が引き抜かれた後の斜視図。
【図１１】本考案ストッカーから、結束されたプラスチックゴミを取り出した図。
【考案を実施するための形態】
【００１１】  本考案実施形態の説明は、添付図に基づいて行います。まずは図３のように紐の端を切込み１に挟んで止め、紐を下面に這わせて対面側に伸ばす。伸ばした紐を切込み２に挟んで止めると、紐は外側に出る。紐を外側の横に這わせて切込み３に止めると、紐は内側に入る。紐を切込み４に向かって下面を這わせ、切込み４に止める。紐は外側に出て、ストッカー内の下面には紐が十字型に配置されているが、クロス部分を固定する必要はなく、だいたい十字型になっていれば良い。
【００１２】  図４のようにプラスチックゴミでストッカーが満杯になったら、手で押して上から圧力を加える。素手でも良いが、手袋状のものを着けたり、平板を持って押しても良い。圧力を加えた状態のプラスチックゴミは高さが半分以下になり、プラスチックゴミの膨らみを押さえるため、適当な場所の穴に棒を差し込む。仮に図５のように棒ＸをＡ面の１に差し込んだら、先端をＢ面１の穴に差し込む。プラスチックゴミの膨らみは抑えられ、平行にもう一本の棒ＹをＡ面２からＢ面２に差し込むと、二箇所が平行に棒で固定され、プラスチックゴミ全体の盛り上がりは抑えられる。再びプラスチックゴミを入れ、図６のようにストッカーが満杯になったら、図７のように同じ行為を繰り返し、棒２本の位置は徐々に上がって行く。
【００１３】  図８のように圧縮したプラスチックゴミで満杯になったら、図９のように結束を開始する。プラスチックゴミは二本の棒で膨らむのを抑えているので、慌てることなく結束が出来る。まずは切込み２、切込み３から紐を外し、一本状の紐の中心をプラスチックゴミ上の中央に持って行く。次に切込み１から外した紐の端を切込み２、３の紐とクロスさせ、クロスした切込み１の紐を切込み４から外した紐と結べば、プラスチックゴミ全体は一本の紐で十字型に結束される。最後に図１０のようにプラスチックゴミ全体を抑えていた棒二本を引き抜くと、コンパクト状態に結束されたプラスチックゴミは膨らむことがなく、あとは図１１のようにストッカーから取り出して捨てれば良い。
【図１】
0003186704.tif 000003
【図２】
0003186704.tif 000004
【図３】
0003186704.tif 000005
【図４】
0003186704.tif 000006
【図５】
0003186704.tif 000007
【図６】
0003186704.tif 000008
【図７】
0003186704.tif 000009
【図８】
0003186704.tif 000010
【図９】
0003186704.tif 000011
【図１０】
0003186704.tif 000012
【図１１】
0003186704.tif 000013
【手続補正書】
【提出日】平成25年7月31日(2013.7.31)
【手続補正１】
【補正対象書類名】実用新案登録請求の範囲
【補正対象項目名】全文
【補正方法】変更
【補正の内容】
【実用新案登録請求の範囲】
【請求項１】
プラスチックゴミを圧縮結束するためのストッカーであって、ストッカーの側面上端の中央に紐を挟むための切込みを設けるとともに、ストッカーの側面とその対面側に、棒を貫通させるための穴を二列平行となるよう縦方向に複数箇所設けてなることを特徴とするストッカー。